(57)【要約】【課題】構造が簡単で、運用範囲が広く、製造コストが低く、性能が高く、取り付けと修理が容易なコイルレスモータの提供。【解決手段】絶縁ディスク、複数の磁石、複数の電磁石或いはいわゆる誘導鉄、ハウジング及び電磁回路、を包含し、該複数の磁石は該絶縁ディスク内に均一に分布するよう埋め込まれ、該絶縁ディスク内に伝動軸が取り付けられ、該絶縁ディスクが該伝動軸により該ハウジングに取り付けられ、該複数の電磁石は該ハウジング内面に固定され、該電磁回路にリードスイッチが設けられ、電源が該リードスイッチのＰＮＰ接点の制御により該電磁石に伝送されて磁極を発生し、且つ磁場の相互排斥と相互排斥を引き起し、該リードスイッチの電力切断により、磁石の相互吸着或いは相互排斥作用を発生し、その動作エネルギーが該絶縁ディスクの該伝動軸により出力される。【選択図】図１
2009065821.tif 000002
【特許請求の範囲】
【請求項１】
コイルレスモータにおいて、絶縁ディスク、複数の磁石、複数の電磁石或いはいわゆる誘導鉄、ハウジング及び電磁回路、を包含し、該複数の磁石は該絶縁ディスク内に均一に分布するよう埋め込まれ、該絶縁ディスク内に伝動軸が取り付けられ、該絶縁ディスクが該伝動軸により該ハウジングに取り付けられ、該複数の電磁石は該ハウジング内面に固定され、該電磁回路にリードスイッチが設けられ、電源が該リードスイッチのＰＮＰ接点の制御により該電磁石に伝送されて磁極を発生し、且つ磁場の相互排斥と相互排斥を引き起し、該リードスイッチの電力切断により、磁石の相互吸着或いは相互排斥作用を発生し、その動作エネルギーが該絶縁ディスクの該伝動軸により出力され、コイルレスモータの使用機能を達成するよう構成された、コイルレスモータ。
【請求項２】
請求項１記載のコイルレスモータにおいて、該複数の磁石が均一に該絶縁ディスク内に埋設され、該複数の電磁石が該ハウジングの内面に固定され、並びに該磁石と相互に対応し、該絶縁ディスクと該ハウジングの組合せによりコイルレスモータの基本構造要件が構成されたことを特徴とする、コイルレスモータ。
【請求項３】
請求項１記載のコイルレスモータにおいて、該電磁回路がリードスイッチ、コンデンサ、抵抗及びコイルを包含し、該リードスイッチにＰＮＰ接点が設けられ、該ＰＮＰ接点は該コイルにより該電磁石と接続され、電気エネルギーが該ＰＮＰ接点の制御により、該電磁石に入力されて磁極を発生することを特徴とする、コイルレスモータ。
【請求項４】
請求項１記載のコイルレスモータにおいて、該リードスイッチに白金接点が採用されて該磁石と該電磁石の相互吸引、相互排斥が発生することを特徴とする、コイルレスモータ。
【発明の詳細な説明】
【技術分野】
【０００１】
本発明は一種のコイルレスモータに係り、特に、基本的に磁石のプラスマイナス極とリードスイッチの誘導によりモータを運転させられ、伝統的なコイルをヨークに巻回した部品を使用する必要がないコイルレスモータに関する。
【背景技術】
【０００２】
周知のモータはエナメル線をヨークに巻回して基本部品となし、磁石及びカーボンブラシの装置を利用して回転とトルクの出力を達成する。
【発明の開示】
【発明が解決しようとする課題】
【０００３】
このような周知のモータの最も主要な欠点は相当に電力を消耗することであり、特に起動の瞬間に必要とする電気エネルギーは最も厳重であり、更にこの周知のモータはエナメル線をヨークに巻回したものを基本部品とし、且つ鋳鉄材料をハウジングとしているため体積が大きいのみならず重く、メインテナンス及び修理が比較的面倒であり、且つ製造コストが高く、更にその磁性転換時にプラスマイナス極の交叉転換を必要とし、ゆえにその造形は厚く重い円柱型の態様から脱却できず、更に現在モータはモータを動力の部品として使用しており、設計上の制限がある。
【０００４】
本発明の目的は前述の周知のモータにおける、エナメル線をヨークに巻回したものを基本部品とするために発生する欠点を解決することにある。
【課題を解決するための手段】
【０００５】
本発明のコイルレスモータは、絶縁ディスク、複数の磁石、複数の電磁石或いはいわゆる誘導鉄、ハウジング及び電磁回路、を包含する。そのうち、複数の磁石は絶縁材料のディスクを射出成型する時、該ディスク内に埋め込まれ、複数の電磁石はハウジング内面に固定されて磁石と対応し、電磁回路にリードスイッチが設けられ、電源が該リードスイッチのＰＮＰ接点の制御により予め設計された接点に伝送され、並びに電磁石に伝送されて磁極を発生し、且つ磁場の相互吸引、相互排斥を引き起し、リードスイッチの電力切断時に、磁石の相互吸着或いは相互排斥作用を発生し、絶縁ディスクは磁石の発生する磁性と絶縁ディスク内の磁石の相互排斥或いは吸着の作用により回転し、並びに絶縁ディスクの伝動軸が動作エネルギーを伝送し、コイルレスモータの使用機能を達成する。
【発明の効果】
【０００６】
本発明の構造は簡単で、重量が軽く、エナメル線をヨークに巻回したものを使用する必要がなく、厚い鋳鉄をハウジングとして使用する必要がなく、そのモータ造形は軽量薄型となり、動力使用を必要とする物品と機具に広く使用され得る。その構造はこれまでにはなく、且つ節電機能を具備し、取り付けと修理が容易であり、期待された使用効果を達成する。
【発明を実施するための最良の形態】
【０００７】
図１、２、３、４に示されるように、本発明のコイルレスモータは、絶縁ディスク１、複数の磁石２、若干の電磁石３、ハウジング４、電磁石２と接続された電磁回路５を包含する。
【０００８】
前述の絶縁ディスク１はプラスチック射出成型或いはその他の絶縁材料を成型して形成され、伝動軸１１が設けられ、複数の磁石２が絶縁ディスク１成型時に、均一に絶縁ディスク１内に配設され、該絶縁ディスク１の伝動軸１１が軸受１２を介してハウジング４に取り付けられ、若干の電磁石３が該ハウジング４の内面に固定されて、磁石２と相互に対応する。
【０００９】
前述の電磁回路５は基本的に、リードスイッチ５１、コンデンサ５２、抵抗５３及びコイル５４で構成され、そのうち、リードスイッチ５１にＰＮＰ接点５５が設けられる。電源入力時に、電流は該リードスイッチ５１のＰＮＰ接点５５の制御により各一つの予め設計された接点及びコイル５４に伝送され、並びに電磁石３上に伝送されて磁極を発生させ、且つ磁場の相互吸着或いは相互排斥を起こし、リードスイッチ５１の電力が切断される時、磁場の相互吸着或いは相互排斥の作用を発生する。
【００１０】
前述の絶縁ディスク１は電磁石３の発生する磁性により絶縁ディスク１内の磁石２との相互排斥或いは相互吸着作用を発生して回転し、並びに絶縁ディスク１の伝動軸１１が動作エネルギーを出力し、本発明のコイルレスモータの使用機能を達成する。
【００１１】
前述のＰＮＰ接点５５は実施例においては、白金接点を利用して、磁石と電磁石の相互吸着と相互排斥の作用を発生し、絶縁ディスク１駆動の使用機能を達成できる。
【００１２】
以上の説明から分かるように、本発明のコイルレスモータはエナメル線をヨークに巻回したものを使用する必要がなく、且つ厚い鋳鉄をハウジングとする必要がない長所を有し、造形上、モータを軽量、薄型とすることができ、動力使用を必要とする物品機具に広く使用できる。
【００１３】
例えば以下のような実施例がある。
自転車への運用の実施例：  本発明は簡単に自転車の車輪に取り付けられ、電動アシスト自転車とすることができ、それは、磁石をディスク状となし、自動車のディスクブレーキのようにし、並びに自転車の前輪に取り付けてタイヤと同時に回転するようにし、電磁石は傍らに取り付けて一組とし、その回路は自転車前輪の前フォークに沿って上向きにハンドル下方に延伸して電池放置位置と接続し、リードスイッチはハンドルの傍らに設置しする。このような取り付けにより簡単な電動アシスト自転車とすることができ、手動でリードスイッチを起動する時、電磁石と磁石の相互吸着と排斥作用により、磁石ディスクが車輪を回転させ、その構造は簡単で、取り付けが容易であり、且つ薄く軽量で節電し、取り付け使用上、複雑な組立と接続伝動問題がなく、取り付けと修理が容易で、操作が容易であり、衝撃を有さず、開始時に大きな使用電力負荷を必要としない。一般にモータは起動時の使用電力量が最大であり、電動アシスト自転車が走行開始時にはゆっくりと走行する必要があるが、現在、モータの運転は慢速で運転することはできない。しかし本発明のコイルレスモータは、慢速で物品を駆動或いは伝動できる長所を有する。
【００１４】
扇風機に運用した実施例では、扇風機はモータで羽根を駆動し、その厚さは設計上、軽薄とする要求を達成しにくい。本発明のコイルレスモータを使用すれば扇風機の造形を軽量薄型として外観を良くすることができる。
【００１５】
換気扇に運用した実施例では、換気扇は工場や家庭でよく見られる製品であるが、一般に体積は小さくなく、厚さは薄くなく、取り付けが容易でなく、特に使用部分が制限される。本発明のコイルレスモータを使用すると、換気扇の体積を薄くでき、取り付けと修理が容易で、その外観も良くすることができる。
【００１６】
このほか、軽量で薄型であることから、本発明のコイルレスモータは更に換気扇と全ての放熱を必要とする物品に運用され、例えばコンピュータ用放熱器、クーラーの放熱ファン、自動車のラジエータ及び自動車のエアコンの放熱ファン、ブロワー等に運用され、それは、既存のモータの伝統的造形を改変可能であるだけでなく、使用上、伝統的なモータの電力消耗と摩損等の関係する問題を改善できる。
【００１７】
総合すると、本発明は伝統を打破し、エナメル線をヨークに巻回してなる基本部品の使用を不要としたコイルレスモータであり、その構造は簡単で、広い分野に使用でき、製造コストが低く、性能が高く、取り付けと修理が容易で、産業上の利用価値を有し、特許の要件に符合する。
【図面の簡単な説明】
【００１８】
【図１】本発明の分解透視図である。
【図２】本発明の組合せ外観図である。
【図３】本発明の組合せ断面図である。
【図４】本発明の電磁回路図である。
【符号の説明】
【００１９】
１  絶縁ディスク          ２  磁石
３  電磁石                ４  ハウジング
５  電磁回路              １１  伝動軸
１２  軸受                ５１  リードスイッチ
５２  コンデンサ          ５３  抵抗
５４  コイル              ５５  ＰＮＰ接点
【図１】
2009065821.tif 000003
【図２】
2009065821.tif 000004
【図３】
2009065821.tif 000005
【図４】
2009065821.tif 000006